(57)【特許請求の範囲】
【請求項１】
手摺案内レール頭部に被装される移動手摺を前記手摺案内レールから取り外し、又は前記移動手摺を前記手摺案内レールに取り付ける移動手摺脱着装置において、
前記移動手摺を前記手摺案内レール頭部の上面に押圧しつつ、前記手摺案内レールに沿って転動する押圧ローラと、
前記手摺案内レール頭部の下側に直接若しくは移動手摺を介して接しつつ、前記手摺案内レールに沿って移動するレール接触部と、
前記移動手摺の縁部のうち少なくとも一方を担持する手摺縁案内部と、
作業者により所定方向に力が加えられるグリップと、
前記移動手摺の長手方向に伸長し、伸ばされた方向に沿って前記グリップ、前記手摺縁案内部、前記レール接触部、前記押圧ローラの順に取り付けられている本体と、
を含み、
取り外し時においては、前記グリップを持ち上げつつ移動手摺の取り外し方向（Ｂの方向）に押すと、前記押圧ローラは前記移動手摺を前記手摺案内レール頭部の上面に押圧し、前記手摺縁案内部は前記押圧ローラを支点として上方に持ち上げられ、移動手摺の縁部を担持し、
取り付け時においては、前記グリップを持ち上げつつ移動手摺の取り付け方向（Ｅの方向）に引くと、前記レール接触部は前記手摺案内レール頭部の下側に接し、前記押圧ローラは前記レール接触部を支点として前記移動手摺を前記手摺案内レール頭部の上面に押圧して移動手摺の縁部を移動手摺案内レール頭部にはめ込むことを特徴とする移動手摺脱着装置。
【請求項２】
手摺案内レール頭部に被装される移動手摺を前記手摺案内レールから取り外し、又は前記移動手摺を前記手摺案内レールに取り付ける移動手摺脱着装置において、
前記移動手摺を前記手摺案内レール頭部の上面に押圧しつつ、前記手摺案内レールに沿って転動する押圧ローラと、
前記手摺案内レール頭部の下側に直接若しくは移動手摺を介して接しつつ、前記手摺案内レールに沿って移動するレール接触部と、
前記移動手摺の縁部のうち少なくとも一方を担持する手摺縁案内部と、
作業者により所定方向に力が加えられるグリップと、
前記移動手摺の長手方向に伸長し、伸ばされた方向に沿って前記グリップ、前記手摺縁案内部、前記押圧ローラ、前記レール接触部の順に取り付けられている本体と、
を含み、
取り外し時においては、前記グリップを持ち上げつつ移動手摺の取り外し方向（Ｊの方向）に押すと、前記押圧ローラは前記移動手摺を前記手摺案内レール頭部の上面に押圧し、前記手摺縁案内部は前記押圧ローラを支点として上方に持ち上げられ、移動手摺の縁部を担持し、
取り付け時においては、前記グリップを押し下げつつ移動手摺の取り付け方向（Ｉの方向）に引くと、前記レール接触部は前記手摺案内レール頭部の下側に接し、前記押圧ローラは前記レール接触部を支点として前記移動手摺を前記手摺案内レール頭部の上面に押圧して移動手摺の縁部を移動手摺案内レール頭部にはめ込むことを特徴とする移動手摺脱着装置。
【請求項３】
請求項１又は２に記載の移動手摺脱着装置において、
前記移動手摺の縁部のうち他方を担持する第２の手摺縁案内部をさらに含むことを特徴とする移動手摺脱着装置。
【請求項４】
請求項１又は２に記載の移動手摺脱着装置において、
前記手摺縁案内部は、前記移動手摺の縁部のうち他方を担持するよう前記本体に対して付け替え可能に設けられることを特徴とする移動手摺脱着装置。
【請求項５】
請求項１〜４のいずれか１項に記載の移動手摺脱着装置において、
前記レール接触部は、前記手摺案内レール頭部の下側に接しつつ、前記手摺案内レールに沿って転動するローラを含んで構成されることを特徴とする移動手摺脱着装置。
【発明の詳細な説明】
【０００１】
【発明の属する技術分野】
本発明は移動手摺脱着装置に関し、例えばエスカレータや歩く歩道などに設けられる移動手摺を手摺案内レールから取り外し、或いは取り付けるための装置に関する。
【０００２】
【従来の技術】
図８は、エスカレータの移動手摺を取り外すための従来技術に係る治具の使用状態を説明する図である。同図において、ハッチングで示されている部分はエスカレータ手摺を表しており、手摺案内レール２の頭部２ｄに移動手摺１が嵌合している様子が示されている。すなわち、手摺案内レール２には断面Ｔ字状の頭部２ｄが一体的に形成されており、一方、移動手摺１は断面略Ｃ字状に形成されており、その二つの縁部１ａが頭部２ｄの両端に掛かり、手摺案内レール２に移動手摺１が被装されるようになっている。
【０００３】
さらに同図には、エスカレータの移動手摺を取り外すための治具３が示されている。この治具３はＬ字状の本体の一端に尖った先端部３ａが設けられており、他端にはグリップ３ｂが取り付けられている。そして使用状態では、手摺案内レール２の頭部２ｄと移動手摺１の縁部１ａとの間に先端部３ａが押入される。また、治具３の柄の一部が手摺案内レール２の台座角部２ｃに当接しており、作業者が治具３のグリップ３ｂを握って図中矢印Ｘの方向に力を加えることにより、先端部３ａが移動手摺１の縁部１ａを外方向に押し開き、手摺案内レール２の頭部２ｄから該移動手摺１が外れる。
【０００４】
【発明が解決しようとする課題】
しかしながら、従来技術に係る治具３を用いて手摺案内レール２から移動手摺１を取り外そうとした場合、移動手摺１の縁部１ａの一部を手摺案内レール２から取り外すことしかできず、移動手摺１の長手方向、即ち移動手摺１の前後移動方向にわたり連続して移動手摺１を手摺案内レール２から取り外すことはできない。そして、治具３を用いて移動手摺１を手摺案内レール２から全面的に取り外そうとした場合、移動手摺１の長手方向に所定間隔で治具３を用いて上述の取り外し作業を繰り返さなければならない。
【０００５】
また、以上とは逆に移動手摺１を手摺案内レール２に取り付ける場合、治具３のような取り外し用の道具では取り付けることができず、また取り付け用の道具は考案されていない。したがって従来は素手により移動手摺１が手摺案内レール２に取り付けられていた。
【０００６】
以上のように、エスカレータ等に設けられている移動手摺の保守に際し、手摺案内レール２から移動手摺１を取り外し、或いは取り付けようとする場合、従来は多くの時間と労力が必要であった。
【０００７】
本発明は、上記課題に鑑みてなされたものであって、その目的は、手摺案内レールから移動手摺を長手方向に連続して容易に取り外し、又は取り付けることができる移動手摺脱着装置を提供することにある。
【０００８】
【課題を解決するための手段】
（１）上記課題を解決するために、本発明は、手摺案内レール頭部に被装される移動手摺を前記手摺案内レールから取り外し、又は前記移動手摺を前記手摺案内レールに取り付ける移動手摺脱着装置において、前記移動手摺を前記手摺案内レール頭部の上面に押圧しつつ、前記手摺案内レールに沿って転動する押圧ローラと、前記手摺案内レール頭部の下側に直接若しくは移動手摺を介して接しつつ、前記手摺案内レールに沿って移動するレール接触部と、前記移動手摺の縁部のうち少なくとも一方を担持する手摺縁案内部と、作業者により所定方向に力が加えられるグリップと、前記移動手摺の長手方向に伸長し、伸ばされた方向に沿って前記グリップ、前記手摺縁案内部、前記レール接触部、前記押圧ローラの順に取り付けられる本体と、を含み、取り外し時においては、前記グリップを持ち上げつつ移動手摺の取り外し方向（Ｂの方向）に押すと、前記押圧ローラは前記移動手摺を前記手摺案内レール頭部の上面に押圧し、前記手摺縁案内部は前記押圧ローラを支点として上方に持ち上げられ、移動手摺の縁部を担持し、取り付け時においては、前記グリップを持ち上げつつ移動手摺の取り付け方向（Ｅの方向）に引くと、前記レール接触部は前記手摺案内レール頭部の下側に接し、前記押圧ローラは前記レール接触部を支点として前記移動手摺を前記手摺案内レール頭部の上面に押圧して移動手摺の縁部を移動手摺案内レール頭部にはめ込むことを特徴とする。
また、本発明は、手摺案内レール頭部に被装される移動手摺を前記手摺案内レールから取り外し、又は前記移動手摺を前記手摺案内レールに取り付ける移動手摺脱着装置において、前記移動手摺を前記手摺案内レール頭部の上面に押圧しつつ、前記手摺案内レールに沿って転動する押圧ローラと、前記手摺案内レール頭部の下側に直接若しくは移動手摺を介して接しつつ、前記手摺案内レールに沿って移動するレール接触部と、前記移動手摺の縁部のうち少なくとも一方を担持する手摺縁案内部と、作業者により所定方向に力が加えられるグリップと、前記移動手摺の長手方向に伸長し、伸ばされた方向に沿って前記グリップ、前記手摺縁案内部、前記押圧ローラ、前記レール接触部の順に取り付けられている本体と、を含み、取り外し時においては、前記グリップを持ち上げつつ移動手摺の取り外し方向（Ｊの方向）に押すと、前記押圧ローラは前記移動手摺を前記手摺案内レール頭部の上面に押圧し、前記手摺縁案内部は前記押圧ローラを支点として上方に持ち上げられ、移動手摺の縁部を担持し、取り付け時においては、前記グリップを押し下げつつ移動手摺の取り付け方向（Ｉの方向）に引くと、前記レール接触部は前記手摺案内レール頭部の下側に接し、前記押圧ローラは前記レール接触部を支点として前記移動手摺を前記手摺案内レール頭部の上面に押圧して移動手摺の縁部を移動手摺案内レール頭部にはめ込むことを特徴とする。
【０００９】
本発明に係る移動手摺脱着装置では、前記押圧ローラが前記移動手摺を前記移動手摺案内レール頭部の上面に押圧する。一方、前記レール接触部は前記手摺案内レール頭部の下側に接する。さらに、本移動手摺脱着装置には前記手摺縁案内部が設けられており、この手摺縁案内部により前記移動手摺の縁部のうち少なくとも一方が担持される。
【００１０】
本発明に係る移動手摺脱着装置を用いて移動手摺を手摺案内レール頭部に取り付ける場合、前記押圧ローラと前記レール接触部との位置関係に応じた所定方向に向けて前記本体に力を加え、前記移動手摺は前記手摺縁案内部により移動手摺が取り外された状態から、前記押圧ローラにより移動手摺が手摺案内レールに取り付けられた状態に順次移行させる。こうすれば、移動手摺を長手方向に連続して容易に手摺案内レール頭部に取り付けることができ、エスカレータや歩く歩道等の手摺部分の保守負担を軽減することができる。
【００１１】
一方、本発明に係る移動手摺脱着装置を用いて移動手摺を手摺案内レール頭部から取り外す場合、前記レール接触部を手摺案内レール頭部から取り外し、その下側に接しないようにする。そして、移動手摺を前記押圧ローラで手摺案内レール頭部に押しつけるとともに、前記手摺縁案内部で移動手摺の縁部を持ち上げ、その状態で本体に所定方向の力を加える。こうすれば、移動手摺は、押圧ローラによって手摺案内レール頭部に押しつけられた状態から手摺縁案内部により手摺案内レール頭部から取り外された状態に順次移行し、長手方向に連続して容易に移動手摺を手摺案内レール頭部から取り外すことができる。
【００１２】
（２）また、本発明の一態様では、前記移動手摺の縁部のうち他方を担持する第２の手摺縁案内部をさらに含むことを特徴とする。こうすれば、作業者の好みに応じ、いずれか一方の移動手摺の縁部を取り外し、或いは取り付けることができる。また、両方の手摺縁案内部を同時使用すれば移動手摺の縁部の両側を一度に取り外し、或いは取り付けることができる。
【００１３】
（３）また、本発明の一態様では、前記手摺縁案内部は、前記移動手摺の縁部のうち他方を担持するよう前記本体に対して付け替え可能に設けられることを特徴とする。こうすれば、作業者の好みに応じて前記手摺縁案内部を本体に対して付け替え、作業者の好みに応じた移動手摺の脱着作業を行うことができる。
【００１４】
（４）さらに、本発明の一態様では、前記レール接触部は、前記手摺案内レール頭部の下側に接しつつ、前記手摺案内レールに沿って転動するローラを含んで構成されることを特徴とする。こうすれば、前記押圧ローラの前記移動手摺上面での転動に合わせて、前記レール接触部も円滑に前記手摺案内レール頭部の下側を転動することができ、手摺案内レールから移動手摺を長手方向に連続して容易に取り付けることができる。
【００１５】
【発明の実施の形態】
以下、本発明の好適な実施の形態について図面に基づき詳細に説明する。
【００１６】
図１は本発明の一実施の形態に係る移動手摺脱着装置をエスカレータ手摺に取り付けた状態を示す斜視図であり、図２はその正面図である。なお、手摺自体の構成は、既に示した図８のものと同様であり、ここでは同一の符号を付して説明を省略する。
【００１７】
まず、図１に示すように移動手摺脱着装置５では、本体５ｆの一部に移動手摺１の長手方向に延びる柄５ｈが取り付けられており、その先端にグリップ５ａが取り付けられている。また本体５ｆには押圧ローラ５ｄが回動可能に取り付けられており、該押圧ローラ５ｄによって移動手摺１の上面が手摺案内レール２の頭部２ｄの上面２ｂに押圧されるようになっている。さらに本体５ｆの中央部分にはグリップ５ｃとレール接触部５ｇとが設けられており、レール接触部５ｇの先端部には、押圧ローラ５ｄの回転軸と同方向の軸を有するレール側ローラ５ｅが、手摺案内レール２の側方から頭部２ｄの下面２ａを転動できるよう取り付けられている。このレール側ローラ５ｅは手摺案内レール２の頭部２ｄの下面２ａに接触しつつ、移動手摺１の前後進行方向に転動するものである。
【００１８】
また、移動手摺脱着装置５の本体５ｆには手摺縁案内部５ｂが取り付けられている。この手摺縁案内部５ｂの先端部は、移動手摺の縁部１ａを側方からめくり挙げるよう、内向きに曲げられており、フック形状をなしている。そして、そのフック部位に移動手摺１の縁部１ａが掛けられ、該手摺縁案内部５ｂにより移動手摺１の縁部１ａが担持されるようになっている。
【００１９】
この移動手摺脱着装置５を用いて移動手摺１を手摺案内レール２の頭部２ｄに取り付ける場合、押圧ローラ５ｄが移動手摺１の上面を押圧しつつ移動手摺１の長手方向に転動し、一方、レール側ローラ５ｅは押圧ローラ５ｄの押圧位置よりもグリップ５ａ側にて手摺案内レール２の頭部２ｄの下面２ａに接触しつつ移動手摺１の長手方向に転動するようになっている。そして、作業者はグリップ５ａを図中上側、即ち手摺上方向に持ち上げることにより、レール側ローラ５ｅを支点として押圧ローラ５ｄを移動手摺１の上面にさらに強く押しつけることができる。
【００２０】
また、押圧ローラ５ｄが移動手摺１の上面に接し、且つレール側ローラ５ｅが手摺案内レール２の頭部２ｄの下面２ａに接した状態においては、手摺縁案内部５ｂのフック部位は手摺案内レール２に対して所定の高さを維持するようになっている。こうして、押圧ローラ５ｄが移動手摺１の上面に接し、且つレール側ローラ５ｅが手摺案内レール２の頭部２ｄの下面２ａに接した状態で、作業者がグリップ５ａを用いて移動手摺１の長手方向に力を加えれば、押圧ローラ５ｄ及びレール側ローラ５ｅがそれぞれ転動するとともに、手摺縁案内部５ｂが所定高さにて移動手摺１の縁部１ａを担持しつつ、移動手摺１の長手方向に水平移動する。
【００２１】
ここで、本移動手摺脱着装置５を用いて手摺案内レール２から移動手摺１を取り外す作業について図３に基づき説明する。同図は、エスカレータ手摺に移動手摺脱着装置５を取り付けた状態を側面から見た図である。同図において、まず作業者はグリップ５ａを図中矢印Ａの持ち上げ方向に持ち上げる。こうすれば、押圧ローラ５ｄには図中矢印Ｃの方向の力が加えられることになり、該押圧ローラ５ｄにより移動手摺１の上面が押圧されることになる。この際、作業者はグリップ５ｃを用いてレール側ローラ５ｅが手摺案内レール２の頭部２ｄの上側に来るよう、本体５ｆを図２左側に倒す。こうすれば、押圧ローラ５ｄを支点として手摺縁案内部５ｂを上側に持ち上げることができ、作業者がグリップ５ａを用いて図３の矢印Ｂの方向（取り外し方向）にも力を加えることにより、移動手摺１の縁部１ａを長手方向に連続して、簡易且つ短時間で取り外すことができる。
【００２２】
次に、移動手摺脱着装置５を用いて移動手摺１を手摺案内レール２に取り付ける場合の作業について図４に基づき説明する。同図は、移動手摺脱着装置５をエスカレータ手摺に取り付けた状態を示す側面図である。同図において、作業者はグリップ５ａを図中矢印Ｄの方向に力を加えつつ、図中矢印Ｅの方向（取り付け方向）にも力を加える。こうすれば、まず押圧ローラ５ｄは移動手摺１の上面を下方に押圧しつつ図中矢印Ｅの方向に転動する。さらに、レール側ローラ５ｅは手摺案内レール２の頭部２ｄの下面２ａに接しつつ、同じく図中矢印Ｅの取り付け方向に転動する。この際、手摺縁案内部５ｂは、未だ手摺案内レール２の頭部２ｄに被装されていない移動手摺１の縁部１ａを手摺案内レール２に対して一定の高さで担持しており、作業者がグリップ５ａを図中矢印Ｅ方向に引くことにより、その取り外し状態にある移動手摺１の縁部１ａが順次押圧ローラ５ｄの下側に送り込まれ、該押圧ローラ５ｄによって順次移動手摺１の縁部１ａが手摺案内レール２の頭部２ｄにはめ込まれるようになっている。この際、移動手摺脱着装置５にはレール接触部５ｇの対向位置にグリップ５ｃが設けられており、作業者はこのグリップ５ｃを図中矢印Ｇの方向に押しつけることにより、さらに効率的に押圧ローラ５ｄを移動手摺１の上面に押しつけることができ、より確実に移動手摺１を手摺案内レール２に取り付けることができる。
【００２３】
なお、以上説明した移動手摺脱着装置５は種々の変形実施が可能である。たとえば、押圧ローラ５ｄ、レール側ローラ５ｅ、及び手摺縁案内部５ｂの位置関係は以上説明したものに限らず、押圧ローラ５ｄが移動手摺１の上面を転動し、一方、レール側ローラ５ｅが手摺案内レール２の頭部２ｄの下面２ａを転動し、その状態で手摺縁案内部５ｂが押圧ローラ５ｄの押圧位置とは異なる位置で移動手摺１の縁部１ａを取り外し状態で担持するのであれば、どのような位置関係であってもよい。たとえば、図５に示すように、本体１０ｆの先端部分にレール側ローラ１０ｅを含むレール接触部１０ｇを取り付けるとともに、その対向位置にグリップ１０ｃを取り付ける一方、グリップ１０ａの取り付けられている側に向けてこの順で押圧ローラ１０ｄ及び手摺縁案内部１０ｂを本体１０ｆに取り付け、移動手摺脱着装置１０を形成してもよい。なお、同図において、各部の構成は図１に既に示した移動手摺脱着装置のものと同様であり、対応する構成については対応する符号を付して説明を省略する。
【００２４】
この移動手摺脱着装置１０を用いて移動手摺１を手摺案内レール２に取り付ける場合には、グリップ１０ａを図中矢印Ｋの方向に押し下げつつ、本体１０ｆをグリップ１０ａを用いて図中矢印Ｉの方向（取り付け方向）に引けばよい。また、この移動手摺脱着装置１０を用いて移動手摺１を手摺案内レール２から取り外す場合には、グリップ１０ａを図中矢印Ｈの方向に引き上げつつ、グリップ１０ａを用いて本体１０ｆを図中矢印Ｊの方向（取り外し方向）に押せばよい。
【００２５】
また、以上説明した移動手摺脱着装置５，１０は移動手摺１の一方の縁部１ａを手摺案内レール２の頭部２ｄから取り外すよう構成されていたが、作業者の利き腕が異なる場合などには、縁部１ａの他方を手摺案内レール２の頭部２ｄから取り外すよう、これら移動手摺脱着装置５，１０を使用したいという場合が考えられる。
【００２６】
図６は、作業者の好みに合う側の縁部１ａを手摺案内レール２から取り外すことのできる移動手摺脱着装置を示す斜視図である。同図において、移動手摺脱着装置１２は図中手前側の縁部１ａを取り外すよう、エスカレータ手摺に取り付けられている。同図に示す移動手摺脱着装置１２は、本体１２ｆの先端部位に押圧ローラ１４ｄ及び１２ｄが設けられており、それらは同軸にて回動し、それぞれ移動手摺１の上面を転動することができるようになっている。さらに、本体１２ｆにはレール接触部１２ｇが設けられておりその先端部には図中手前方向に凸設されたレール側ローラ１４ｅが設けられるとともに、レール側ローラ１５ｅが図中奥側に凸設するよう設けられている。同様に、本体１２ｆに設けられている手摺縁案内部１４ｂの先端部についても、図中奥側に曲がって形成されたフック部１４ｌに加え、図中手前側に曲がって形成されたフック部１４ｒが設けられている。
【００２７】
すなわち、本移動手摺脱着装置１２は本体１２ｆに対して左右対称の構成をなしており、作業者はフック部１４ｌ、レール側ローラ１５ｅ、及び押圧ローラ１２ｄを用いて図中手前側の移動手摺１の縁部１ａを取り外すことができる。また、フック部１４ｒ、レール側ローラ１４ｅ、及び押圧ローラ１４ｄを用いて図中奥側の移動手摺１の縁部１ａを取り外すことができる。こうすれば、エスカレータや歩く歩道などに設けられている左右両側の手摺に対し、作業者の好みに合わせた向きで作業することができる。
【００２８】
なお、図６の移動手摺脱着装置１２は押圧ローラやレール側ローラを複数設けたが、それらを一つずつ用意しておき、作業者の好みに応じて本体に対して左右逆側に付け替えることができるよう構成してもよい。
【００２９】
図７は、この押圧ローラ等の左右付け替えが可能な移動手摺脱着装置をエスカレータ手摺に取り付けた状態を示す斜視図である。同図に示すように、移動手摺脱着装置１６の本体１６ｆには、押圧ローラ１６ｄがボルト１８ｄにより脱着可能に取り付けられており、押圧ローラ１６ｄはボルト１８ｄを取り外して、移動手摺脱着装置１２（図６参照）に設けられた押圧ローラ１４ｄのように、図中手前側に凸設されるよう付け替えることができる。また、レール接触部１６ｇは、既に説明した移動手摺脱着装置５，１０，１２とは異なり、本体１６ｆとは別体で構成されており、ボルト１８ｇにより本体１６ｆに取り付けられている。このため、ボルト１８ｇを取り外して、レール接触部１６ｇを移動手摺脱着装置１２（図６参照）のレール側ローラ１４ｅのように、図中手前側にレール側ローラ１６ｅが位置するようレール接触部１６ｇを逆さまにして付け直すことができる。同様に、手摺縁案内部１６ｂについてもボルト１８ｂを取り外し、反対の向きに付け替えることができる。こうすれば、ボルト１８ｂ，１８ｇ，１８ｄをそれぞれ取り外し、各部を逆向きに付け替えることにより、作業者の好みに応じた向きで移動手摺１の脱着作業を行うことができる。
【図面の簡単な説明】
【図１】本発明の実施の形態に係る移動手摺脱着装置を示す斜視図である。
【図２】本発明の実施の形態に係る移動手摺脱着装置を示す正面図である。
【図３】本発明の実施の形態に係る移動手摺脱着装置により移動手摺を取り外す様子を示す図である。
【図４】本発明の実施の形態に係る移動手摺脱着装置により移動手摺を取り付ける様子を示す図である。
【図５】変形例に係る移動手摺脱着装置を示す図である。
【図６】他の変形例に係る移動手摺脱着装置を示す図である。
【図７】さらに他の変形例に係る移動手摺脱着装置を示す図である。
【図８】従来の移動手摺取り外し方法を説明する図である。
【符号の説明】
１  移動手摺、１ａ  縁部、２  手摺案内レール、２ａ  下面、２ｄ  頭部、５，１０，１２，１６  移動手摺脱着装置、５ｂ，１０ｂ，１２ｂ，１４ｂ，１６ｂ  手摺縁案内部、５ｄ，１０ｄ，１２ｄ，１４ｄ，１６ｄ  押圧ローラ、５ｇ，１０ｇ，１２ｇ，１６ｇ  レール接触部、５ｅ，１０ｅ，１４ｅ，１５ｅ，１６ｅ  レール側ローラ。
【図１】
0003594806.tif 000002
【図２】
0003594806.tif 000003
【図３】
0003594806.tif 000004
【図４】
0003594806.tif 000005
【図５】
0003594806.tif 000006
【図６】
0003594806.tif 000007
【図７】
0003594806.tif 000008
【図８】
0003594806.tif 000009